(57)【特許請求の範囲】
【請求項１】
テレビ放送における不所望なビデオシーンの検出方法において、下記の方法ステップを有し、即ち、
ａ）前記不所望ビデオシーンの開始を特徴づける該不所望ビデオシーンの少なくとも１つの画像を記憶する方法ステップを有し、
ｂ）メモリ（FIFO）にテレビ放送の画像の絶えざる一時記憶を行う方法ステップを有し、
ｃ）テレビ放送の画像を方法ステップａ）により記憶された画像との一致又は相関についてチェックする方法ステップを有し、
ｄ）方法ステップｃ）による一致の検出又は相関する特徴の検出の際に、開始識別信号の生成を行なう方法ステップを有し、
ｅ）前記方法ステップｄ）による開始識別信号の発生前に方法ステップｂ）により一時記憶されたテレビ放送の画像を記憶する方法ステップを有し、
ｆ）前記不所望なビデオシーンの画像及びこれに後続するシーンの画像を方法ステップｅ）により記憶された画像との一致又は相関についてチェックする方法ステップを有し、
ｇ）方法ステップｆ）による一致の検出又は相関する特徴の検出の際に、終了識別信号の生成を行う方法ステップを有することを特徴とする不所望なビデオシーンの検出方法。
【請求項２】
テレビ放送における不所望なビデオシーンの検出方法において、下記の方法ステップを有し、即ち、
ａ）少なくとも前記不所望ビデオシーンの開始を特徴づける該不所望ビデオシーンの少なくとも１つの画像シーンの画像から所定の個数の所定のピクセル群（クラスタ）を記憶する方法ステップを有し、
ｂ）メモリ（FIFO）にテレビ放送の画像の所定の画像的に一致するクラスタの絶えざる一時記憶を行う方法ステップを有し、
ｃ）テレビ放送の画像のクラスタを方法ステップａ）により記憶されたクラスタとの一致又は相関についてチェックする方法ステップを有し、
ｄ）方法ステップｃ）によるクラスタの一致の検出又は相関する特徴の検出の際に、開始識別信号の生成を行なう方法ステップを有し、
ｅ）前記方法ステップｄ）による開始識別信号の発生前に方法ステップｂ）により一時記憶されたテレビ放送の画像のクラスタを記憶する方法ステップを有し、
ｆ）前記不所望なビデオシーンの選択された画像のクラスタ及びこれに後続するシーンの選択された画像のクラスタを方法ステップｅ）により記憶されたクラスタとの一致又は相関する特徴の検出についてチェックする方法ステップを有し、
ｇ）方法ステップｆ）による一致の検出又は相関する特徴の検出の際に、終了識別信号の生成を行う方法ステップを有することを特徴とする不所望なビデオシーンの検出方法。
【請求項３】
不所望なビデオシーンの複数の選ばれた画像のクラスタが定められ、記憶され、そして、これらのクラスタはテレビ放送の連続的に一時記憶される画像の位置的に一致すると確定されたクラスタと比較されることを特徴とする、請求項２記載の方法。
【請求項４】
所定のクラスタのピクセルの輝度値が記憶され、相互に比較され、差それらの値から、それぞれの識別信号生成のためのシグナム（signum）関数が形成されることを特徴とする、請求項２又は３記載の方法。
【請求項５】
開始又は終了識別信号は、個々の不所望ビデオシーンの長さの決定のために又は所定の送信持続時間内で送信されるビデオシーンの全長の決定のために又はビデオシーンの内容のチェックのために評価されることを特徴とする、請求項１から４までのうちいずれか１項記載の方法。
【請求項６】
開始識別信号は不所望シーンの排除のため用いられ、終了識別信号は放映中のテレビ放送の挿入のために用いられることを特徴とする、請求項１から４までのうちいずれか１項記載の方法。
【請求項７】
不所望ビデオシーンの始め又は終わりの識別のために付加的に送信局識別子の存否についてのチェックを行うことを特徴とする、請求範囲１から６までのうちいずれか１項記載の方法。
【請求項８】
不所望ビデオシーンの複数の画像から選択され記憶さるべき画像又はクラスタを自動的に決定するために不所望シーンの始め及び／又は終わりを特徴付ける伝送される識別信号が評価されるか、又は、画像の観測による手動入力及び記憶命令の入力のために本発明の方法により動作する機器の遠隔操作又は位置操作を介して選択を行うことを特徴とする、請求項１から７までのうちいずれか１項記載の方法。
【請求項９】
不所望シーンの画像及びこれに後続する画像の画像を記憶された画像と相関する構成部分があるかどうかについてチェックし、そして、相関検出の際に終了識別信号を生成することを特徴とする、請求項１記載の方法。
【請求項１０】
更なるチェック規準として、放映中のテレビ放送と共に伝送される不所望ビデオシーン及びこれに後続する画像の画像の中の特別な送信局識別子又は送信局ピクトグラムを存否について前記不所望ビデオシーンの規準として評価することを特徴とする、請求項１から９までのうちいずれか１項記載の方法。
【請求項１１】
不所望ビデオシーンが短縮記号（Kurzbezeichnungen）又はピクトグラムの形の送信局識別子を有しない場合、前記不所望ビデオシーン受信の際に視聴者によるリモコン発信器への命令の入力によりチェック規準としての確認が行われることを特徴とする、請求項10記載の方法。
【請求項１２】
不所望ビデオシーンの前の複数の画像又は画像のクラスタを記憶し、そして、前記不所望ビデオシーン及びこれに後続する放映中のテレビ放送の画像を記憶された画像と一致、相関、送信局短縮記号又は送信局ピクトグラムについてチェックすることを特徴とする、請求項１から８までのうちいずれか１項記載の方法。
【請求項１３】
１つの又は複数の記憶された画像又はクラスタに配属された随伴トーンを共に記憶し、音声学的特性に従ってチェックし、そして、これらの音声学的特性を付加的な比較規準として放映中のテレビ放送の随伴トーンと比較し、前記音声学的特徴の一致の際に終了識別信号を生成することを特徴とする、請求項１から12までのうちいずれか１項記載の方法。
【請求項１４】
不所望シーンに始め又は終わりにて伴う可聴信号が存在する場合に、この可聴信号は識別回路を用いて検出され、付加的なチェック規準として評価されることを特徴とする、請求項１から13までのうちいずれか１項記載の方法。
【請求項１５】
不所望ビデオシーンの持続時間を記録し、この持続時間をその間に又は連続的に加算して包括的な所定の時間区間、例えば90分の間に現存の又は包括的な時間区間に対する最大挿入時間の目標プリセット時間と比較し、前記不所望ビデオシーンの最大目標終了時間を上回る際にはこの時間区間内でこれが不所望ビデオシーンの存在又は終了に対する更なる評価基準として用いられることを特徴とする、請求項１から14までのうちいずれか１項記載の方法。
【請求項１６】
本発明の方法は、所定のテレビ放送が伝送される多数の伝送チャネルから選ばれた所定の個数の伝送チャネルに、例えば４つの伝送チャネルに限定されることを特徴とする、請求項１から15までのうちいずれか１項記載の方法。
【請求項１７】
放映中のテレビ放送から不所望ビデオシーンを排除する装置であって、前記テレビ放送はテレビ受像器又はビデオレコーダにより受信表示され又は記録され、前記装置は下記の構成部分から構成されており、即ち、
アナログテレビ信号の受信及びデコーディングのための信号処理装置（S1）を有し、
A/D変換器（２）を有し、該A/D変換器（２）はデコーディングされたアナログテレビ信号をデジタル形式に変換するものであり、
画像メモリ（BSP）を有し、該画像メモリ（BSP）にはデジタルテレビ信号が書込まれ、そして、読出され、
遠隔又は位置操作装置（ST）を有し、該操作装置（ST）はデータバス（３）を介して本発明の放映中のテレビ放送から不所望ビデオシーンを排除する装置を制御するものであり、
メモリ（６）を有し、該メモリ（６）には操作者により選ばれた不所望ビデオシーンの開始を特徴付けるテレビ画像が又は位置的に又は個数的に定められた画像部分が書込まれ、前記メモリ（６）は、その都度調整される送信局番号に選ばれた開始画像が対応付けられる（S1〜Sn）ように構造化されており、
比較器（Ｖ）を有し、該比較器（Ｖ）は、調整された送信局の放映中のテレビ画像を、前記メモリ（６）にてこの送信局に対応づけられた開始画像と比較し、一致の際には前記データバス（３）を介して通報を前記制御装置（ST）に送信し、これに基づいて該制御装置（ST）は識別された不所望ビデオシーンの表示又は記録を阻止する、放映中のテレビ放送から不所望ビデオシーンを排除する装置において、
テレビ画像又は画像部分が絶えず一時記憶されるメモリ（FIFO）が設けられており、一時記憶されたテレビ画像又は画像部分と不所望ビデオシーンの画像との一致又は相関の検出により発生される前記開始識別信号に基づいて、制御ユニット（ST）によってメモリ（６）内に設けられたメモリロケーション（SE）に前記開始識別信号の発生の前に前記メモリ（FIFO）に一時記憶されたテレビ画像又は画像部分が記憶され、そして、前記比較器（Ｖ）は放映中の画像又はこれの画像部分と前記メモリロケーション（SE）内に記憶されたテレビ画像又は画像部分との比較によって前記不所望ビデオシーンの終わりをもとめ、前記制御装置（ST）への通報を生成し、該制御装置（ST）はこの通報に基づいてテレビ放送の表示又は記録を行うことを特徴とする、放映中のテレビ放送から不所望ビデオシーンを排除する装置。
【請求項１８】
データ低減装置（DR）が設けられており、該装置はメモリ（６）内に書込まれるべきテレビ画像のデータ量を低減する請求項17記載の装置。
【請求項１９】
メモリ（FIFO）内にデータ低減されたデータ低減装置（DR）のテレビ画像が一時記憶され、この結果、位置又は遠隔操作発信器（FBG）を用いてデータ伸張装置（DE）、画像メモリ（BSP）、D/A変換器（５）を介して表示装置（Ａ）による一時記憶されたテレビ画像の表示によって不所望ビデオシーンを特徴付ける開始画像の適当な選択を行い、ならびに、制御ユニット（ST）により不所望ビデオシーンを特徴付ける終了画像の適当な選択を行うことができることを特徴とする、請求項18記載の装置。
【請求項２０】
第２信号処理装置（S2）が、そして必要な場合には第2A/D変換器（４）が設けられており、この結果、信号処理装置（S1）により受信される送信局が不所望ビデオシーンを送信し、この不所望ビデオシーンが表示されない限りは他の送信局のテレビ画像を表示できることを特徴とする、請求項17から19までのうちいずれか１項記載の装置。
【請求項２１】
遠隔操作又は位置操作発信器（FBG）は不所望シーンの開始を特徴付けるテレビ画像を特徴付けるための又は不所望ビデオシーンの表示が阻止される動作モードを活性化するためのキーを有することを特徴とする、請求項17から20までのうちいずれか１項記載の装置。
【請求項２２】
ビデオ録画装置のための又は該ビデオ録画装置における端子（７）が設けられており、該端子（７）を介して識別された不所望ビデオシーンのビデオ録画を阻止する休止スイッチングパルスが供給されることを特徴とする、請求項17から19までのうちいずれか１項又は複数項記載の装置。
【請求項２３】
不所望ビデオシーンの少なくとも１つの画像の記憶のための第１のメモリと、放映中のテレビ放送の少なくとも１つの画像の絶えざる一時記憶のための更なるメモリと、不所望ビデオシーンの前の少なくとも１つの画像の記憶のための第３のメモリと、これらの画像の比較及び相関される特徴の評価及び／又は検出のための比較器と、一致又は相関の際に識別信号を送出するための回路装置と、前記識別信号の記録のための更なる回路装置と、前記識別信号の評価のための評価回路とが設けられていることを特徴とする、請求項１記載の実施例のための装置。
【請求項２４】
クラスタの個数又は位置の設定のため選択回路が設けられており、一時記憶メモリから不所望ビデオシーンの画像のクラスタが読出され、第１メモリに記憶され、比較回路が設けられており、該比較回路は、クラスタと前記一時記憶メモリ内に連続的に一時記憶される画像の所定のクラスタとの一致又は相関を検査し、評価回路は一致の際に識別信号を送出することを特徴とする、請求項２記載の方法の実施のための請求項23記載の装置。
【請求項２５】
不所望ビデオシーンの始め又は終わりにて識別信号は、前記不所望ビデオシーンの排除ないし放映中の放送の再投入をトリガするか又はビデオレコーダによる記録を中断ないし継続させることを特徴とする、請求項23又は24記載の装置。
【請求項２６】
比較回路が設けられており、該比較回路では不所望ビデオシーンの画像又は不所望ビデオシーンの画像のクラスタと連続画像又は該連続画像のクラスタとの一致又は相関について比較がなされ、前記画像又はクラスタの一致の検出の際には受信の間により後の時点でチャネルで受信される不所望ビデオシーンの画像又はクラスタとの比較が行われ、一致又は相関の際には識別信号（Kennungssignal）がこの一致の時間測定信号としてこのような不所望シーンの受信のコントロールのために記録されるように構成されている請求項23又は24記載の装置。
【発明の詳細な説明】
本発明は放映中のテレビ放送からの不所望なビデオシーンの自動的検出方法及び装置に関し、上記の自動的検出は不所望ビデオシーンの画像、例えば開始画像の評価により行われる。
多くの送信局により放送は中断され、コマーシャルが挿入される。当該のコマーシャルは大抵の視聴者にとっては障害的な中断を成す。障害的なコマーシャルを抑圧するために既に提案がなされている。それらの提案のうちの１つはコマーシャル中に音声を注視することである。米国特許第3870950号明細書には所定の時間中コマーシャルを抑圧する回路が示されている。このために、操作者（視聴者）はコマーシャルの始めにリモコン発信器の相応のキーを作動しなければならない。勿論音声のみが抑圧される場合、視聴者はコマーシャルを常時中止、観測しなければならない。
EP0384388A1から公知の所定のモード付き装置において当該のモードによっては送信局選択キー又は休止キーの作動をするとコマーシャルを回避し得る。他の１つの送信局のプログラムを注視し得ている間に、テレビ受信機の画像スクリーン上にプリセットされた時間間隔が経過した旨の通報が挿入され、その結果視聴者は元の送信局に戻り得る。
上述の提案にて欠点であるのは、コマーシャルを抑圧するために、視聴者は常にコマーシャルの始めにキーを押さなければならないことである。更に欠点となるのは固定的にプリセットされた時間の経過によってはそれぞれのコマーシャルの終わりが精確には求められ得ないことである。
それらの欠点はDE4106246C1にて記載されている装置では次のようにして回避される、即ち操作者により或１つのコマーシャルの始めと終わりを表す画像の１度のマーキング及び記憶の後装置により自動的に識別されるのである。従って、所望のプログラム情報を失うことなくコマーシャルの自動的抑圧が可能である。
送信局は屡々、コマーシャルブロックの始めを１つの特別な画像でマーキングすることに移行しつつあるが、公知装置を用いてはコマーシャルブロックにより中断された放送の新たな開始を識別することが不可能である。従って、コマーシャルブロックの終了後、中断された自動的に再び表示されることはない。
前述の記載事項から明らかになったところでは例えば不所望な送信ないし放送として受信されたコマーシャルの排除のためには次のような場合にもそのような送信ないし放送の所望の識別を実施し得ることが必須である、即ち、当該の送信ないし放送が識別信号により送信機側でマーキングされていない場合でも当該の識別を実施し得ることが必須である。
所謂不所望ビデオシーンの所望の識別及びそれの時間的検出は統計的調査のためにも商業上の理由からも必須である。コマーシャル放送指示がある場合、例えば受信箇所にて識別により以下のことを確かめ得る、即ち、当該のコマーシャルがフルに放映されたことを確かめ得る。そのような画像信号の検出のためDE4319957C1からユニークな画像信号の再認識の方法、殊にユニークな信号列の再認識方法が公知であり、該方法では所定のピクセルの輝度値、殊に所定のピクセル群（クラスタ）の輝度値がスキャンされる。更なる方法ステップにて、所定のクラスタの輝度値間の差信号が形成され、そしてシグナム（signum）関数が導出される。以て、各フレーム画像毎に１つのバイナリ特徴ベクトルが形成され、ここで、該バイナリ特徴ベクトルの長さは各フレーム毎に走査スキャンされるクラスタの数に相応する。所定数の順次連続するフレーム画像（例えば51）に対して画像シーケンス特徴ベクトルが形成され、これは各フレーム画像ごとに更新される。各フレーム画像毎に更新された特徴ベクトルは記憶された再び識別さるべき画像列を識別する同じように求められた多数の特徴ベクトルに相関付けられる。所定の相関値の場合、シグナリング“ビット列再識別”が生ぜしめられる。そのようにして、本発明では不所望ビデオシーンとみなされるが所望のビデオシーンとみなされ得ることもあるコマーシャルを検出することが可能である。ここで、これらの信号は始めと終わりにて或１つのビデオシーンの受信中にクラスタの相応の選定及び時間的決定において受信されたシーンの長さについての精確な情報を与え、その結果ビデオシーン割付け、対応付け（個々のコマーシャルスポット）及び全体的に行われた不所望ビデオシーンの伝送の検出の双方が可能である。当該の公知方法は、画像を不所望なシーンの前及び後に共に評価し、その結果、テレビ放送、例えばフィルムのどのシーン区間に当該のビデオシーンが挿入されているかを検出すること又は不所望なビデオシーンを排除するために利用することをめざしてはいない。
従って、本発明の目的ないし課題とするところは不所望な放送、例えばコマーシャルの始めと終わりの検出を操作者のその都度の協力作業なしで行われ得るように、冒頭に述べた形式の方法及び装置を改善することである。
上記課題は請求項1,2,17又は23の構成要件により解決される。
本発明の利点となるところは評価に関与せしめられるべき始め又は終わりがその都度、不所望なビデオシーンの観測の際、１度マーキングしさえすればよく、他方で例えば放送局の夜間番組中のそのような不所望なビデオシーンの挿入の繰り返しの場合にはこの反復入力を必要としないことである。それというのも、当該システムは自動的に当該の不所望なビデオシーンを最初のプリセット及びそれの評価を識別するからである。更に、当該方法は、次のような場合にも使用可能である、即ち、或１つのビデオシーンのビデオシーンが、夜間番組のシーケンス伝送にて同じ順序で繰り返されなかったり、又は、異なるビデオシーン合成で、例えば、異なるコマーシャルが繰り返される場合にも使用可能である。この場合に対しては複数の不所望ビデオシーンのシーンが記憶され評価される。この場合、例えば或１つの同一の送信局からの放送内でコマーシャルスポットが少なくとも一日の放送内で又は週の放送内で反復して伝送されることを前提とする。記憶された可能なシーン画像又はこのような画像のクラスタとの比較チェックによってはシーンの種々異なる順序も考慮される。従って、いずれにしろ、最終シーン（最終コマーシャルスポット）が既知でない場合でも、本発明により不所望なシーンの始めと終わりを検出し得るようになる。更なる利点とするところは、そのつどコマーシャルの始めを特徴付ける画像のみをユーザが記憶しさえすればよく、コマーシャルの終わりを特徴付ける画像は自動的に放送から取得される。従ってコマーシャルの終わりの確実な識別が保証される。
本発明の方法は請求項10の発展形態により得られる利点は、付加的チェック、例えば送信シグナリングの存否に就いての付加的チェックにより、不所望ビデオシーンの始めと終わりの発見が改善されることである。
本発明の請求項18の装置により得られる利点は、データ低減により、不所望なビデオシーンの開始画像及び各終了画像を格納するメモリの所要メモリ容量が低減されることである。
請求項19のメモリの使用によっては、不所望シーンの始め及び終わり画像の選択の際にユーザないし制御装置の反応時間を補償調整し得る。
請求項20による実施形態によれば、第２の信号処理および必要な場合第２のA/D変換器が設けられる。それにより視聴者は、例えばコマーシャル（第１信号処理装置にて選ばれた送信局によるコマーシャル）の送信中に他の送信局の番組を見ることが可能になる。更に、コマーシャルの終わりに時間的な交差なしで最初に調節された送信局のプログラムの継続が可能である。
請求項21の実施形態にて記載された、リモコン発信器の付加的キーの利点は装置のユーザにとって簡単な操作が可能になることである。
請求項22による実施形態では不所望ビデオシーンの始めの識別の際に、例えばコマーシャル開始の際に、場合によっては接続されている録画機器に対する休止スイッチングパルスの生成により、ビデオ記録が中断され、そして、コマーシャルが終ると再び継続される。それにより、コマーシャルの記録が阻止され、記録される番組が障害的な中断及び反復なしで再生され得る。
当該方法プロセス実施のための装置は請求項23〜26に詳しく特定されている。
クラスタの輝度信号の平均値が使用される方法及びこの方法を実施する装置を使用する場合、DE4309957C1にて記載された手法による評価が行われる。即ち、不所望なシーンに対してのみならず、不所望シーンの前及び後に位置する画像に対しても評価が行われる。
以下図を用いて、不所望ビデオシーンの排除のための評価の例に即して本発明を説明する。
図はテレビ受信機の構成部分として本発明の装置の実施例のブロック回路図を示す。
例えばアンテナを介して受信され、そして、処理さるべきテレビ信号は１に供給され、そして、信号処理装置S1の出力側にはリモコン発信器FBGを介して選ばれた送信局のデコードされたカラーテレビ信号が後続処理のために現れる。リモコン発信器FBGを介して１つの送信局が選ばれると、このリモコン発信器FBGは必要な情報を遠隔操作受信器FBEに送り、該FBEはデータバス３（例えば装置全体のコンポーネントの制御のためのI2Cバス）を介して制御装置STに接続されている。該STは実質的にマイクロプロセッサと制御プログラムを含むメモリとから成る。制御装置STは信号処理装置S1内に設けられているチューナの選ばれた送信局の周波数への所要のチューニング過程を開始する。アナログカラーテレビ信号はA/D変換器２によりデジタル信号に変換され、画像メモリBSPに書き込まれ、そこから読み出され、D/A変換器５を介して逆変換され、表示装置Ａを用いて表示される。
請求項１及び２による本発明の方法の有利な発展形態は従属請求項３〜16に示さている。ここで、殊に請求項9,10,12〜16にて特定されたような付加的チェック規準の採用によって評価の際の付加的確実度が保証され、この結果、自動的なチェックの際にできるだけエラー判定が回避される。その結果、不在の場合でも、例えば伝送された放送の受信の際に、当該の放送は不所望ビデオシーンの記録なしでビデオレコーダにより記録され、識別信号がビデオレコーダの制御のために共に用いられる。この結果、不所望シーンの排除の期間の間に記録が中断され、そして、連続的な記録さるべき放送、例えば劇映画のビデオシーンの継続が行われることが検知される場合には直ちに再び記録が継続される。
本発明の方法は不所望ビデオシーンを除いて連続的な放送の記録の排除又は中断及び継続のために使用可能であるのみならず、殊に冒頭に述べたように統計的目的のために実施さるべき不所望シーンの精確な検出のためにも使用可能である。
本発明の方法の実施のための装置は請求項18〜26に記載されている。
コマーシャルの表示を回避するためリモコン発信器FBGを介してコマーシャルが表示装置Ａによっては可視化されない動作モードが活性化される。選ばれた送信局のコマーシャルの代わりに他の前以て選択された送信局のテレビ信号が画像メモリBSPに書込まれ、そして、D/A変換器５及び表示装置Ａを介してコマーシャルの持続時間中に表示される。このテレビ信号が第２信号処理装置S2及び第2A/D変換器４を介して画像メモリBSPの入力側に印加される。
第２信号処理装置S2のテレビ信号の表示中に、リモコン発信器FBGを介して任意の送信局の自由な選択が可能であり、これらの任意の送信局は信号処理装置S2のチューナにて制御装置STにより同調される。画像メモリBSPの使用下で、複数の番組を同時に観察することも可能であり、これらの複数の番組は表示装置Ａの画像スクリーン上に部分画像として表示され、この結果、瞬時の番組提供内容の概観が得られる。
最初に選択された送信局のコマーシャルの終了後、この送信局の番組はA/D変換器２から到来して再び画像メモリBSP内に書込まれ、表示装置Ａ上に表示される。画像メモリBSPに印加される両方のテレビ信号の切り換えは制御装置STによってコマーシャルの開始又は終了が識別されると直ちに行われる。更に、制御装置STは休止スイッチングパルスを生成し、この休止スイッチングパルスはデータバス３を介して端子７に供給され、この結果、ビデオ記録装置を用いての番組の記録を挿入されたコマーシャルの持続時間の間中断することができる。
コマーシャルの開始ないしは終了の識別は可能である。なぜなら多くの送信局が特別な画像及び音声列によりコマーシャルの開始を特徴付けるからである。これらの特徴的な画像は視聴者によりマーキングされ、メモリ６内に格納される。メモリ６の大きさを制限するため、画像データはデータ低減装置DRにて公知の２次元のデータ低減プロセスを施され、そして、それぞれ第１のフィールド画像の輝度情報だけが評価される。メモリ６は送信局に対してその都度異なるコマーシャルの開始画像を記録し得るように構成されている。
視聴者がコマーシャル開始の際にリモコン発信器FBGのキー“コマーシャル開始”を操作することによって、選ばれた送信局の開始画像の特徴付けは操作者により行われる。キーの操作は常に所定の反応時間の後ではじめて行われるので、メモリFIFOが設けられており、このメモリFIFOは例えば1secの画像を記憶し、FIFOメモリとして実現され得る。そこに記憶されたデータ低減された画像は伸張装置DEにて逆変換され、画像メモリBSP及びD/A変換器５を介して表示装置Ａ上に表示される。画像は十分な時間間隔（ほぼ１秒）で表示装置Ａに表示され、この結果、操作者は反応することができ、そして、最も適する開始画像を選択することができる。キー“コマーシャル開始”の再度の操作の際に選ばれた開始画像の低減されたデータがメモリ６に選ばれた送信局に対してそれぞれのメモリロケーションS1〜Snに記憶される。
リモコン発信器FBGを介してコマーシャルの表示を阻止する動作モードが調整されている場合には、メモリ６から選択されて信号処理装置S1にて調整された送信局のコマーシャルの１つ又は複数の特徴的な開始画像が比較器に供給され、この比較器は１つ又は複数の特徴的な開始画像とこの送信局の連続する画像との比較を行う。開始画像との一致の際、上述のように、開始するコマーシャルが抑圧され、そして、信号処理装置S2を用いて受信された送信局が表示される。それと同時にユニットSTの制御下でメモリFIFO内に一時記憶されたコマーシャルの始めを特徴づける画像より時間的に前に放映された画像がメモリロケーションSE内に書込まれる。このためにメモリFIFOは少なくとも装置による画像のチェックのために必要とされる時間間隔中に送信局により送信された画像が記憶され得るような大きさでなければならない。これによって、番組の構成部分である画像がメモリロケーションSE内に書込まれることが保証される。コマーシャル終了後、通常は、先に分離された番組の所定の時間間隔がくりかえされるので、コマーシャルの終了がメモリロケーションSE内に記憶された画像の新たな出現において確実に識別され、そして、今やコマーシャルの含まれていない元の送信局への戻りが行われる。それに引き続いて、比較過程が繰り返され、開始画像及びそのつど検出されるコマーシャルの終了画像の次の確定が始まる。
送信局により繰り返される番組の所定の時間間隔の表示の回避は、殊に、端子７を介するビデオ記録機器の制御において有利である。
画像メモリBSPの代わりに制御装置STにより作動される切換スイッチが使用され、この切換えスイッチがコマーシャルの出現の際にデジタルテレビ信号を切り換えるよう場合に、装置の動作は画像メモリBSPなしでも可能である。勿論、その際は表示装置Ａによる複数の送信局のテレビ画像の同時表示はもはや可能でない。
更に上述の装置の動作機能の改善のためには、送信局識別子の存否を評価する。送信局識別子又は送信局ロゴは送信局によって放送中の番組に、例えば画像の左上隅に挿入される。これに反してコマーシャルは通常その種の送信局識別子を含まない。
送信局識別子の存在は例えば連続する画像の画像内容の変化をチェックすることによって検出できる。所定の画像領域内で比較的長い期間に亘って変化が生じないことが明らかになった場合には、この個所に挿入された送信局識別子の存在する確率が大である。
他の手法によれば、ユーザは例えばカーソル制御を用いて送信局識別子が存在する画像領域を特徴付ける。そのように確定された送信局識別子はメモリ６内でそれぞれのメモリロケーションS1〜Snに開始画像と共に格納され、これにより後のチェックに使用できる。
開始画像および終了画像にも送信局識別子の存否に就いても連続放送の監視を組み合せることによって、コマーシャルの排除の殆どエラーのない機能が達成される。
コマーシャルの識別のための更なる手法は上述のように音声信号の評価である。装置の構成は実質的に上述のものと同じままであるが、音声信号に相応するそれ自体は公知である処理装置が適用されなければならない。
0003563072.tif 000002